(57)【要約】      （修正有）【課題】太陽エネルギーによって自動的に充電され、必要に応じて無線によって制御することができる照明れんがを提供する。【解決手段】無線制御かつ電源内蔵式の照明れんがが、底部ボード、光拡散プレート、回路基板、支持プレート、座、太陽電池、および保護蓋を有している。光拡散プレートが、底部ボードへと取り付けられ、中央の穴を有している。回路基板が、光拡散プレートに向かって光を放射する複数のＬＥＤを有している。支持プレートが、回路基板および光拡散プレートの上方に取り付けられる。座が、支持プレートの一部分に取り付けられる。太陽電池が、座に取り付けられ、ＬＥＤを動作させるために太陽光を電気に変換する。保護蓋が、底部ボードに固定される。回路基板が、外部の制御データを無線で受信して、この制御データに従ってＬＥＤを駆動する。【選択図】図１
0003153544.tif 000002
【実用新案登録請求の範囲】
【請求項１】
底部ボードと、
前記底部ボードへと取り付けられ、内向きの横壁を有する中央の穴と、前記内向きの横壁に形成された複数の溝とを有している光拡散プレートと、
前記光拡散プレートの前記中央の穴に保持され、前記底部ボードに堅固に取り付けられており、縁と、前記縁に沿って形成されて前記底部ボードに向かって突き出している複数のタブと、前記タブに取り付けられて前記光拡散プレートの前記中央の穴の前記内向きの横壁に面している複数のＬＥＤと、電池と、外部の制御データを無線で受信して、該受信した制御データにもとづいて前記ＬＥＤを制御する制御回路と、を有している回路基板と、
前記光拡散プレートおよび前記回路基板の上方に取り付けられた支持プレートと、
前記支持プレートの一部分に取り付けられた座と、
前記座に取り付けられ、前記回路基板へと電気的に接続されており、前記電池を充電するために太陽光を電気へと変換する太陽電池と、
透明または半透明であり、前記光拡散プレート、前記回路基板、前記支持プレート、前記座、および前記太陽電池を覆うべく前記底部ボードに固定されている保護蓋と
を備えている無線制御かつ電源内蔵式の照明れんが。
【請求項２】
前記制御回路が、
前記外部の制御データを受信するための無線受信機と、
前記無線受信機へと接続され、前記外部の制御データを受信し、該制御データにもとづいて前記ＬＥＤを駆動するマイクロプロセッサと、
前記マイクロプロセッサへと接続され、外部の磁界が存在するときに前記ＬＥＤの発光を禁止するために前記マイクロプロセッサへと無効信号を供給するリードスイッチと
を備えている請求項１に記載の無線制御かつ電源内蔵式の照明れんが。
【請求項３】
前記保護蓋が、
上面と、
前記上面に形成された複数の突起およびリブと
を有している請求項１または２に記載の無線制御かつ電源内蔵式の照明れんが。
【請求項４】
前記座が、
底面と、
前記底面に形成され、前記支持プレートを貫いて延び、前記底部ボードに立つ複数の足と
を有している請求項１または２に記載の無線制御かつ電源内蔵式の照明れんが。
【考案の詳細な説明】
【技術分野】
【０００１】
本考案は、無線制御の照明れんがに関し、詳しくは、光を生み出すために太陽エネルギーによって充電される無線制御かつ電源内蔵式の照明れんがに関する。
【背景技術】
【０００２】
照明装置は、装飾、警報、方向の案内、などといった種々の用途に合わせて、さまざまな種類および外観を有することができる。照明装置が指定の位置に設置されるとき、その大部分は、照明用の構成部品を駆動すべくＡＣまたはＤＣの動作電圧を受け取るために、電源線へと接続されなければならない。この照明装置の配線の作業は、場合によっては、複雑であり、高コストであり、不便であり、電気技師を必要とする。
【０００３】
さらに、照明装置を設置した後、それらの動作モードを設定または変更することが、照明装置を取り外して元の製造者へと送り返すことになりかねず、きわめて困難である。
【０００４】
これらの欠点を克服するために、本考案は、上述の問題を軽減または除去するための無線制御かつ電源内蔵式の照明れんがを提供する。
【考案の概要】
【考案が解決しようとする課題】
【０００５】
本考案の目的は、無線制御かつ電源内蔵式の照明れんがであって、電源線を接続することなく動作電圧を生成するために太陽エネルギーによって自動的に充電され、必要に応じて発光モードを変更すべく遠方から無線によって制御することができる照明れんがを提供することにある。
【課題を解決するための手段】
【０００６】
無線制御かつ電源内蔵式の照明れんがが、底部ボード、光拡散プレート、回路基板、支持プレート、座、太陽電池、および保護蓋を有している。光拡散プレートが、底部ボードへと取り付けられ、中央の穴を有している。回路基板が、光拡散プレートに向かって光を放射する複数のＬＥＤを有している。支持プレートが、回路基板および光拡散プレートの上方に取り付けられる。座が、支持プレート上の一部分に取り付けられる。太陽電池が、座に取り付けられ、ＬＥＤを動作させるために太陽光を電気へと変換する。保護蓋が、底部ボードに固定され、太陽電池、座、支持プレート、回路基板、および光拡散プレートを覆う。
【０００７】
回路基板が、外部の制御データを無線で受信して、この制御データに従ってＬＥＤを駆動する。したがって、照明れんがの動作モードを、組み立て済みの構成部品を分解することなく必要に応じて容易に変更することができる。
【０００８】
ＬＥＤの動作電力は、追加の電源線を使用することなく太陽エネルギーによって供給される。したがって、複雑かつ不便な配線作業が不要になる。
【０００９】
本考案の他の目的、利点、および新規な特徴が、以下の詳細な説明を添付の図面と併せて検討することによって、さらに明らかになる。
【考案を実施するための最良の形態】
【００１０】
図１および２を参照すると、本考案による無線制御／電源内蔵式照明れんが（１）が、底部ボード（１０）、光拡散プレート（２０）、回路基板（３０）、支持プレート（４０）、座（５０）、太陽電池（６０）、および保護蓋（７０）を備えている。
【００１１】
底部ボード（１０）は、四角形であり、４つの角と、内表面と、それぞれの角において内表面に上向きに形成された複数の位置決め突起（１１）とを有している。
【００１２】
光拡散プレート（２０）は、ポリカーボネートなどの透明または半透明な材料で形成することができ、底部ボード（１０）に取り付けられ、位置決め突起（１１）に係合される。光拡散プレート（２０）は、内向きの横壁（２１１）を有する中央の穴（２１）を有しており、この内向きの横壁に、複数の溝（２１２）が形成されている。光が溝（２１２）を出るとき、光拡散プレート（２０）によって一様な光を放射して提供できるように、溝（２１２）が光を拡散させ、あるいは放散する。
【００１３】
回路基板（３０）が、光拡散プレート（２０）の中央の穴（２１）に保持され、底部ボード（１０）にしっかりと取り付けられる。回路基板（３０）は、制御データを無線にて受信するための制御回路を備えており、縁と、縁に沿って形成されて底部ボード（１０）に向かって延びているいくつかのタブ（３１）と、タブ（３１）に取り付けられた複数の発光ダイオード（ＬＥＤ）（３２）と、電池（３３）とを有している。ＬＥＤ（３２）は、回路基板（３０）が底部ボード（１０）に取り付けられたときに中央の穴（２１）の内向きの横壁（２１１）に面し、様々な色を有することができる。
【００１４】
さらに図３を参照すると、回路基板（３０）上に実装された制御回路が、マイクロプロセッサ（３０１）、無線受信機（３０２）、リードスイッチ（３０３）、およびＬＥＤ（３２）を有している。
【００１５】
マイクロプロセッサ（３０１）が、ＬＥＤ（３２）の導通時間、発光色、または動作モードをプログラムするための外部の制御データを、無線受信機（３０２）を介して受信する。
【００１６】
リードスイッチ（３０３）が、マイクロプロセッサ（３０１）へと接続され、外部の磁界が存在するか否かに応じて、マイクロプロセッサ（３０１）へと無効信号または有効信号を供給する。リードスイッチ（３０３）は、通常はオフにされていてよく、磁界が存在するときにオンにされ、あるいは常時はオフにされていて、磁界が加えられたときにオンにされる。好ましくは、磁界が存在して、リードスイッチ（３０３）の状態を変化させる場合に、マイクロプロセッサ（３０１）が、すべてのＬＥＤ（３２）を強制的にオフにする無効信号を受信する。この強制的なＬＥＤ（３２）のオフ機能は、この無線制御／電源内蔵式照明れんが（１）の運搬において、れんが（１）の点灯を防止して電力を節約するために必要となりうる。磁界は、底部ボード（１０）の外表面へと一時的に取り付けられる磁石（８０）によってもたらすことが可能である。磁石（８０）は、無線制御／電源内蔵式照明れんが（１）が実際に使用されるときに取り除かれる。
【００１７】
支持プレート（４０）が、光拡散プレート（２０）および回路基板（３０）の上方に取り付けられており、中央部（４１）および４つの外側部（４２）を有している。中央部（４１）は、貫通穴（４１０）と８つの辺を有する八角形の縁とを有している。４つの外側部（４２）は、光透過性であって、中央部（４１）の８つの辺のうちの４つへと交互に接続されており、中央部（４１）の残りの４つの辺にそれぞれ対応する４つのすき間（４１１）が形成されている。
【００１８】
座（５０）が、支持プレート（４０）の一部分へと取り付けられ、好ましくは中央部（４１）へと取り付けられる。座（５０）は、底面と、底面から突き出し、４つのすき間（４１１）を通過し、底部ボード（１０）に立つ４本の足（５１）とを有している。
【００１９】
太陽電池（６０）が、座（５０）へと取り付けられ、貫通穴（４１０）を通過する配線によって回路基板（３０）へと電気的に接続されている。太陽電池（６０）が、太陽光を電気に変換し、回路基板（３０）上の電池（３３）を充電する。電池（３３）が、回路基板（３０）および回路基板（３０）に取り付けられたＬＥＤ（３２）などといった他の電子部品へと、必要な動作電力を供給する。
【００２０】
保護蓋（７０）は、透明または半透明であってよく、光拡散プレート（２０）、回路基板（３０）、支持プレート（４０）、座（５０）、および太陽電池（６０）を覆って、これらを水分、塵埃、または他の汚染物質から保護すべく、底部ボード（１０）に固定されている。保護蓋（７０）は、上面ならびに滑り止めの目的で上面に形成された複数の突起（７１）およびリブ（７２）を有している。ＬＥＤ（３２）の動作時、光拡散プレート（２０）からの光が支持プレート（４０）の外側部（４２）および保護蓋（７０）を順次に通過し、審美的な視覚効果を生成する。
【００２１】
図４を参照すると、一例として、本考案の無線制御／電源内蔵式照明れんが（１）を、警報、案内、または夜間の装飾光をもたらすために、歩道の地面（Ａ）、壁（Ｂ）、広場、バルコニー、などといった所望の場所に、無作為または規則的に埋め込むことができる。
【００２２】
従来からの装飾光に比べ、無線制御／電源内蔵式照明れんがは、以下の特徴を有している。
【００２３】
１．設置が容易である。れんが（１）を設置するとき、れんが（１）を必要な場所に埋め込むだけでよく、いかなる配線処理も不要である。
【００２４】
２．電源を内蔵している。太陽電池（６０）が、太陽エネルギーを電池（３３）を充電するための電気へと変換する。電池に蓄えられた電気を、プログラムされたスキームに従ってＬＥＤ（３２）を駆動するために印加することができる。
【００２５】
３．制御が容易である。れんが（１）の動作モードが、れんが（１）を指定の位置に取り付けた後で、取り外しを必要とすることなく外部の制御データによって無線で制御および変更される。決定された動作モードに従って、れんが（１）を同時または順次にオン／オフすることができ、あるいは発光色を変化させることができる。
【図面の簡単な説明】
【００２６】
【図１】本考案による無線制御／電源内蔵式照明れんがの分解斜視図である。
【図２】図１の無線制御／電源内蔵式照明れんがの斜視図である。
【図３】図１の無線制御／電源内蔵式照明れんがの制御回路のブロック図である。
【図４】歩道および壁に埋め込まれた図１の無線制御／電源内蔵式照明れんがの概略図である。
【図１】
0003153544.tif 000003
【図２】
0003153544.tif 000004
【図３】
0003153544.tif 000005
【図４】
0003153544.tif 000006